(57)【特許請求の範囲】
【請求項１】
浴室の洗い場の排水口にヘアキャッチャーを装着した浴室の排水部構造において、
前記排水口は、前記洗い場から流れ込んだ水を前記ヘアキャッチャーに導く傾斜排水面を備え、
前記ヘアキャッチャーは、前記洗い場から流入する水を通過させるとともに前記水と共に流入する毛髪を捕集可能な網目部と、
前記網目部の上部に形成され、前記傾斜排水面の縁部に係合させる係合部と、
前記係合部から前記傾斜排水面に沿うように延びる取っ手と、
を備え、
前記取っ手は、前記係合部から最も離れた先端部を前記傾斜排水面に近接させるとともに、前記網目部の方向に下り傾斜した上面を備えたことを特徴とする浴室の排水部構造。
【請求項２】
前記取っ手は、
前記傾斜排水面よりも緩く傾斜させた上面を有するとともに、
前記上面と前記傾斜排水面に接する下面との鉛直方向長さよりも大きな横幅を有することを特徴とする請求項１記載の浴室の排水部構造。
【発明の詳細な説明】
【技術分野】
【０００１】
本発明は、洗い場の排水口にヘアキャッチャーが装着された浴室の排水部構造に関する。
【背景技術】
【０００２】
浴室の洗い場の排水口には、毛髪等が排水管に流出するのを防止するために、ヘアキャッチャーが設けられている。このヘアキャッチャーは、貯まった毛髪を捨てるために排水口から着脱自在になっている。そのため、特許文献１，２に示されるように、ヘアキャッチャーの上端面には、上向きに突出した取っ手が設けられている。
【先行技術文献】
【特許文献】
【０００３】
【特許文献１】特開２０１０−２７５７１８号公報
【特許文献２】特開２００７−１８２７１２号公報
【発明の概要】
【発明が解決しようとする課題】
【０００４】
ところが、取っ手はヘアキャッチャーの上面から大きく突出しているため、洗い場から流れてくる水と一緒に流れ込む毛髪が取っ手に絡まってしまうことがある。そのため、ヘアキャッチャーを取り外す際に、取っ手に絡まった毛髪に触れてしまって不快感を感じる等、ヘアキャッチャーの使い勝手を損ねることがあった。
そこで、本発明は、ヘアキャッチャーの取っ手に毛髪等が絡みにくい浴室の排水部構造を提供することを目的とする。
【課題を解決するための手段】
【０００５】
上記した課題を解決するために、請求項１の発明では、浴室の洗い場の排水口にヘアキャッチャーを装着した浴室の排水部構造において、前記排水口は、前記洗い場から流れ込んだ水を前記ヘアキャッチャーに導く傾斜排水面を備え、前記ヘアキャッチャーは、前記洗い場から流入する水を通過させるとともに前記水と共に流入する毛髪を捕集可能な網目部と、前記網目部の上部に形成され、前記傾斜排水面の縁部に係合させる係合部と、前記係合部から前記傾斜排水面に沿うように延びる取っ手と、を備え、前記取っ手は、前記係合部から最も離れた先端部を前記傾斜排水面に近接させるとともに、前記網目部の方向に下り傾斜した上面を備えたことを特徴とする。
【０００６】
これによれば、ヘアキャッチャーの取っ手を、係合部から最も離れた先端部を傾斜排水面に近接させ、網目部の方向に下り傾斜した上面を備える形態として、排水口の傾斜排水面に沿うように取っ手を延ばしたので、洗い場からヘアキャッチャーに流れ込む水の流れは取っ手の部分もスムーズに流れる。そのため、水と一緒に流れ込む毛髪が取っ手に絡みにくくなる。よって、貯まった毛髪等を捨てる際につかむ取っ手に毛髪等が絡みついていないから、不快感を感じにくく、使い勝手のよいヘアキャッチャーを備えた浴室排水構造を提供することが可能となる。
【０００７】
また、請求項２の発明では、前記取っ手は、前記傾斜排水面よりも緩く傾斜させた上面、とを有するとともに、前記上面と前記傾斜排水面に接する下面との鉛直方向長さよりも大きな横幅を有することを特徴とする。
【０００８】
これによれば、取っ手の上面は、網目部に向けて傾斜した広い横幅を有するので、取っ手の上面に網目部を向く水の流れを形成することができる。そのため、取っ手の上面に毛髪等が停滞せずに速やかに網目部に流れる。よって、取っ手に毛髪等がほとんど絡むことのないヘアキャッチャーを有する浴室の排水部構造が提供される。
また、取っ手の上面を傾斜排水面よりも緩い傾斜としたことにより傾斜排水面と取っ手の上面との間を離すことができ、取っ手に厚みを設けることができる。そのため、取っ手を指で摘まみやすく、さらに使い勝手のよいヘアキャッチャーを備えた浴室排水構造を提供することが可能となる。
【発明の効果】
【０００９】
本発明によれば、ヘアキャッチャーの取っ手に毛髪等が絡みにくい浴室の排水部構造を提供することが可能となる。
【図面の簡単な説明】
【００１０】
【図１】本発明の実施の形態にかかるヘアキャッチャーが設けられた排水トラップを表す模式的断面図である。
【図２】本実施形態にかかるヘアキャッチャーを表す模式的斜視図である。
【図３】本実施形態にかかるヘアキャッチャーに捕集された毛髪等の状態を説明する模式的断面図である。
【図４】本実施形態のヘアキャッチャーと封水筒とが係合した状態を表す模式的断面図である。
【図５】本実施形態のヘアキャッチャーを封水筒から取り外した状態を表す模式的斜視図である。
【図６】本実施形態の取っ手の部分の水の流れを説明する模式的斜視図である。
【図７】本実施形態の取っ手を拡大した模式的斜視図である。
【図８】本実施形態の変形例にかかる取っ手を拡大した模式的斜視図である。
【発明を実施するための形態】
【００１１】
以下、本発明の実施の形態について図面を参照しつつ説明する。なお、各図面中、同様の構成要素には同一の符号を付して詳細な説明は適宜省略する。
図１は、本発明の実施の形態にかかるヘアキャッチャーが設けられた排水トラップを表す模式的断面図である。また、図２は、本実施形態にかかるヘアキャッチャーを表す模式的斜視図である。
【００１２】
本実施形態にかかるヘアキャッチャー２００は、例えば浴室の洗い場や美容室などのシャンプー台などに設置された排水トラップに設けられる。本実施形態では、ヘアキャッチャー２００が浴室の洗い場に設置された排水トラップに設けられた場合を例に挙げて説明する。
【００１３】
図１に表したように、本実施形態にかかるヘアキャッチャー２００は、洗い場５００の排水口５１０に接続されている排水トラップ１００に設けられている。排水トラップ１００は、排水トラップ本体１１０と、封水筒１２０と、を備え、封水Ｗを形成することができる。これにより、排水トラップ１００は、排水トラップ１００の下流側の臭気や害虫類などが浴室内に流入することを防止している。
【００１４】
排水口５１０は、洗い場５００から流れ込む水をヘアキャッチャー２００に導く排水傾斜面１２１を備えている。
【００１５】
ヘアキャッチャー２００は、排水トラップ１００の封水筒１２０に着脱可能に取り付けられ、浴室の洗い場から流入する毛髪や汚れなどのごみ類（以下、説明の便宜上「毛髪等」と称する）を捕集することができる。ヘアキャッチャー２００は、ボウル部２１０と、オーバーフロー流出部２２０と、係合部２３０と、取っ手２４０と、を備える。
【００１６】
ボウル部２１０は、すり鉢状を呈し、流入する水が滞留可能とされている。すなわち、ボウル部２１０は、浴室の洗い場から流入する水を溜めることができる。図１に表したように、ボウル部２１０の側面は、水平面に対して傾斜している。ボウル部２１０の下部の側面の水平面に対する傾斜角度は、ボウル部２１０の上部の側面の水平面に対する傾斜角度よりも小さい。言い換えれば、ボウル部２１０の上部から下部へ向かうにつれて、ボウル部２１０の側面の水平面に対する傾斜角度は、漸減する。
【００１７】
また、図２に表したように、ボウル部２１０は、底面部２１１に形成された水抜き孔２１３を有する。水抜き孔２１３は、底面部２１１を貫通する円形状の貫通孔を有する。底面部２１１には、複数の水抜き孔２１３が設けられている。水抜き孔２１３の数は、特に限定されるわけではない。
【００１８】
オーバーフロー流出部２２０は、ボウル部２１０の上部から上方へ延出し、ボウル部２１０から溢れた水を排水管３１０（図１参照）に流出させる。なお、本願明細書において「水」という場合には、冷水のみならず、加熱されたお湯も含むものとする。
【００１９】
図１に表したように、オーバーフロー流出部２２０の側面は、水平面に対して傾斜している。オーバーフロー流出部２２０の側面の水平面に対する傾斜角度は、例えば約１５〜９０°程度である。オーバーフロー流出部２２０の下部の側面の水平面に対する傾斜角度は、オーバーフロー流出部２２０の上部の側面の水平面に対する傾斜角度よりも大きい。言い換えれば、オーバーフロー流出部２２０の上部から下部へ向かうにつれて、オーバーフロー流出部２２０の側面の水平面に対する傾斜角度は、漸増する。
【００２０】
係合部２３０は、オーバーフロー流出部２２０の上部に形成され、排水トラップ１００の封水筒１２０の開口縁部１２２と係合可能である。これについては、後に詳述する。
【００２１】
図２に表したように、オーバーフロー流出部２２０は、縦リブ２２１と、横リブ２２３と、を有する。縦リブ２２１は、ボウル部２１０と係合部２３０とを連結している。また、オーバーフロー流出部２２０には、複数の縦リブ２２１が設けられている。横リブ２２３は、複数の縦リブ２２１同士を水平方向に連結している。複数の縦リブ２２１同士は、互いに離隔して設けられている。また、複数の横リブ２２３が設けられた場合には、その複数の横リブ２２３同士は、互いに離隔して設けられている。そのため、図２に表したように、オーバーフロー流出部２２０は、格子状の開口部２２５を有する。開口部２２５の開口面積は、水抜き孔２１３の開口面積よりも広い。
なお、前述した水抜き孔２１３および開口部２２５が設けられたボウル部２１０が、本発明の網目部に相当する。
【００２２】
図３は、本実施形態にかかるヘアキャッチャーに捕集された毛髪等の状態を説明する模式的断面図であり、図３（ａ）は、水が流入しているときの毛髪等の状態を説明する模式的断面図である。図３（ｂ）は、水の流入が少なくなったときの毛髪等の状態を説明する模式的断面図である。
【００２３】
図３（ａ）に表したように、本実施形態にかかるヘアキャッチャー２００は、浴室の洗い場から流入する毛髪等３５０を捕集することができる。ここで、図３に表した矢印Ａ１のように水抜き孔２１３から排出される水の量が、流入する水の量よりも少ない場合には、ボウル部２１０に水が溜まる。すると、図３（ａ）に表したように、捕集された毛髪等３５０は、ボウル部２１０に溜まった水に浮くことができる。
【００２４】
また、水抜き孔２１３の開口面積が開口部２２５の開口面積よりも狭いため、水がボウル部２１０に溜まりやすい。一方で、開口部２２５の開口面積が水抜き孔２１３の開口面積よりも広いため、図３（ａ）に表した矢印Ａ７および矢印Ａ８のように、ボウル部２１０から溢れた水を開口部２２５からより確実にオーバーフローさせることができる。これにより、水が洗い場へ溢れることを抑えることができる。これによれば、毛髪等３５０が水抜き孔２１３に引っ掛かったり、絡みついたりすることを抑えることができる。また、毛髪等３５０が水抜き孔２１３において固着することを抑えることができるため、水抜き孔２１３が毛髪等３５０により塞がれることを抑えることができる。
【００２５】
また、図１および図２に関して前述したように、オーバーフロー流出部２２０の側面は、水平面に対して傾斜している。そのため、図１に表した矢印Ａ３および矢印Ａ４、ならびに図３に表した矢印Ａ５および矢印Ａ６のように、流入する水は、勢いをもってオーバーフロー流出部２２０を通過する。そのため、毛髪等３５０がオーバーフロー流出部２２０に絡みつくことを抑えることができる。また、石鹸かすなどの汚れがオーバーフロー流出部２２０に付着あるいは固着することを抑えることができる。これにより、オーバーフロー流出部２２０に付着した汚れによって毛髪が捕捉されることを抑え、ボウル部２１０から溢れた水を開口部２２５からより一層確実にオーバーフローさせることができる。そのため、水が洗い場へ溢れることをより確実に抑えることができる。
【００２６】
また、図２に表したように、縦リブ２２１の内面（流入する水が流れる側の面）は、横リブ２２３の内面（流入する水が流れる側の面）よりも上方あるいは内側に位置する。言い換えれば、横リブ２２３は、縦リブ２２１よりも後退して設けられている。そのため、流入する水の流れが横リブ２２３により阻害されることを抑えることができる。これにより、毛髪等３５０がオーバーフロー流出部２２０に絡みついたり、オーバーフロー流出部２２０の開口部２２５から毛髪等３５０が流出することを抑えることができる。
【００２７】
また、図１および図２に関して前述したように、オーバーフロー流出部２２０の下部の側面の水平面に対する傾斜角度は、オーバーフロー流出部２２０の上部の側面の水平面に対する傾斜角度よりも大きい。そのため、図１に表した矢印Ａ３および矢印Ａ４、ならびに図３に表した矢印Ａ５および矢印Ａ６のように、流入する水は、排水トラップ１００の封水筒１２０の表面およびオーバーフロー流出部２２０の傾斜に沿って流れる。そのため、水の流れの勢いにより、ボウル部２１０に溜まった毛髪等３５０がオーバーフロー流出部２２０に戻ることを抑えることができる。これによれば、毛髪等３５０がオーバーフロー流出部２２０の開口部２２５に引っ掛かったり、絡みついたりすることを抑えることができる。また、オーバーフロー流出部２２０の開口部２２５から毛髪等３５０が流出することを抑えることができる。
【００２８】
また、勢いをもって流入する水の流れにより、毛髪等３５０は、ボウル部２１０においてまとまる。つまり、毛髪がボウル部２１０でまとまり、汚れと一緒になる。さらに、図１および図２に関して前述したように、ボウル部２１０は、すり鉢状を呈する。また、図２に表したように、水抜き孔２１３は、底面部２１１の中央部には形成されていない。そして、ボウル部２１０の下部の側面の水平面に対する傾斜角度は、ボウル部２１０の上部の側面の水平面に対する傾斜角度よりも小さい。そのため、毛髪等３５０がボウル部２１０において１箇所に集まりやすい。また、ボウル部２１０に溜まる水に毛髪等３５０を浮かせてひとまとまりにすることができる。これにより、毛髪等３５０がオーバーフロー流出部２２０の格子状の開口部２２５に引っ掛かったり、絡みついたりすることをより一層抑えることができる。また、オーバーフロー流出部２２０の開口部２２５から毛髪等３５０が流出することを抑えることができる。
【００２９】
続いて、流入する水の量が水抜き孔２１３から排出される水の量よりも少なくなると、図３（ｂ）に表した矢印Ａ１のように、ボウル部２１０に溜まっていた水は、水抜き孔２１３から排出される。すると、図３（ｂ）に表したように、捕集された毛髪等３５０は、ボウル部２１０に乗った状態となる。
【００３０】
また、図１および図２に表したように、本実施形態のオーバーフロー流出部２２０の縦リブ２２１は、ボウル部２１０の内面まで延在し、ボウル部２１０の内面に凹凸を形成している。そのため、毛髪等３５０は、ボウル部２１０の内面まで延在した縦リブ２２１に乗った状態となる。これによれば、ボウル部２１０の内面と毛髪等３５０との接触面積を抑えることができ、ヘアキャッチャー２００を反転させる、あるいはひっくり返すことで捕集した毛髪等３５０を容易に除去することができる。
【００３１】
図４は、本実施形態のヘアキャッチャーと封水筒とが係合した状態を表す模式的断面図である。また、図５は、本実施形態のヘアキャッチャーを封水筒から取り外した状態を表す模式的斜視図である。
【００３２】
本実施形態にかかるヘアキャッチャー２００が排水トラップ１００の封水筒１２０に取り付けられた状態では、図４に表した領域Ｂ１および領域Ｂ２のように、ヘアキャッチャー２００の係合部２３０と、排水トラップ１００の封水筒１２０の開口縁部１２２と、が係合している。そのため、ヘアキャッチャー２００を排水トラップ１００から取り外す場合には、図５に表したように、ヘアキャッチャー２００の上端部に設けられた取っ手２４０を利用し、ヘアキャッチャー２００を傾けて斜め上方へスライドさせることで取り外すことができる。
【００３３】
ここで、図４に表したように、毛髪等３５０が比較的長時間にわたって堆積すると、水抜き孔２１３が毛髪等３５０により塞がることがある。すると、毛髪等３５０を除去するときに、水がボウル部２１０に溜まっていることがある。このとき、本実施形態の係合部２３０が設けられていない場合には、ヘアキャッチャー２００をわざわざ傾けてボウル部２１０に溜まった水を排出した後に毛髪等３５０を除去する必要がある。そのため、使用者などは、不快感を感ずる場合がある。
【００３４】
これに対して、本実施形態によれば、水がボウル部２１０に溜まっていても、排水トラップ１００からヘアキャッチャー２００を取り外すときに傾けてスライドさせるため、ボウル部２１０に溜まった水が自然に排出される。そのため、使用者は、ヘアキャッチャー２００をわざわざ傾けてボウル部２１０に溜まった水を排出する必要はなく、不快感を感ずることなく毛髪等３５０を除去することができる。
【００３５】
図６は、本実施形態の取っ手の部分の水の流れを説明する模式的斜視図である。また、図７は、本実施形態の取っ手を拡大した模式的斜視図である。また、図８は、本実施形態の変形例にかかる取っ手を拡大した模式的斜視図である。
【００３６】
本実施形態の取っ手２４０は、ヘアキャッチャー２００の上端部に設けられている。より具体的には、取っ手２４０は、係合部２３０の上端部から傾斜排水面１２１に沿うように延びるように形成されている。取っ手２４０は、封水筒１２０の上面に形成された傾斜排水面１２１よりも緩く傾斜するように形成された上面２４５と、上面２４５と下面２４７とを繋ぐ側面２４１と、を有している。この上面２４５は、網目部（水抜き孔２１３および開口部２２５）の方向に向けて、途中に凸部を有することなく、下り傾斜している。また、その上面２４５の先端部２４４（係合部２３０から最も離れた部位）は、傾斜排水面１２１の表面に接触するかのごとく近接させている。そのため、図６に表した矢印Ａ１２のように、取っ手２４０の上面２４５を流れる水の流れが取っ手２４０により阻害されることを抑えることができる。また、水とともに流れ込む毛髪等は、傾斜排水面１２１と取っ手２４０との隙間に入り込みにくい。また、取っ手２４０の上面２４５を流れる水の流れに対する取っ手２４０の横幅Ｄ１は、比較的長い。具体的には、取っ手２４０の横幅は、取っ手２４０の鉛直方向の長さ（上面２４５と下面２４７との距離）よりも大きい。取っ手２４０の上面２４５が狭い場合には取っ手２４０の上面２４５を流れる水の流れが途中で途絶えてしまい、毛髪等３５０が取っ手２４０に引っ掛かったり、絡みついたりすることがある。一方、本実施形態の取っ手２４０は、上面２４５を流れる水の流れを途絶えさせずにヘアキャッチャー２００に導くことができる。そのため、毛髪等３５０が取っ手２４０に引っ掛かったり、絡みついたりすることを抑えることができる。
【００３７】
取っ手２４０は、傾斜排水面１２１よりも上面２４５を緩く傾斜させている。そのため、取っ手２４０の上面２４５と傾斜排水面１２１との間に距離を設けて離間させることができる。そのため、取っ手２４０に厚みが出る形態となる。よって、取っ手２４０の側面２４１間を指で摘まみやすく、ヘアキャッチャー２００の取り扱いが容易となり、ヘアキャッチャー２００を排水トラップ１００から容易に取り外すことができる。
【００３８】
さらに、図７に表したように、取っ手２４０の側面２４１には、凹部を形成していてもよい。この場合には、使用者などは、取っ手２４０の側面２４１に形成された凹部を掴むことで、ヘアキャッチャー２００を排水トラップ１００からより一層、容易に取り外すことができる。
また、図８に表した変形例の取っ手２４０ａのように、取っ手２４０ａの上面２４５の下方には、取っ手２４０の一方の側面から他方の側面へ貫通する空洞部２４３が形成されていてもよい。この場合には、使用者などは、空洞部２４３に指などを引っ掛けることで、ヘアキャッチャー２００を排水トラップ１００からより一層、容易に取り外すことができる。
【００３９】
本実施形態によれば、排水口５１０の傾斜排水面１２１に沿うように取っ手２４０を延ばし、取っ手２４０の上面２４５の先端部２４４を傾斜排水面１２１に近接させたので、洗い場５００からヘアキャッチャー２００に流れ込む水の流れは取っ手２４０の上面２４５もスムーズに流れる。そのため、水と一緒に流れ込む毛髪等が取っ手２４０に絡みにくくなる。よって、貯まった毛髪等を捨てる際につかむ取っ手に毛髪等が絡みついていないから不快感を感じにくく、ヘアキャッチャー２００の取っ手２４０をつかみやすく、ヘアキャッチャー２００の使い勝手を向上させることができる。
【００４０】
また、取っ手２４０の上面２４５は、網目部（水抜き孔２１３、開口部２２５）に向けて傾斜した広い横幅Ｄ１を有するので、取っ手２４０の上面２４５に網目部を向く水の流れを形成することができる。そのため、取っ手２４０の上面２４５に毛髪が停滞せずに速やかに網目部に流れる。よって、取っ手２４０に毛髪がほとんど絡まなくすることができる。
【００４１】
また、取っ手２４０の上面２４５を傾斜排水面１２１よりも緩い傾斜としたにより傾斜排水面１２１と取っ手に２４０の上面２４５との間を離すことができ、取っ手２４０に厚みを設けることができる。そのため、取っ手２４０を指で摘まみやすく、ヘアキャッチャー２００の使い勝手をさらに向上させることができる。
【００４２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、ボウル部２１０、オーバーフロー流出部２２０、および係合部２３０などが備える各要素の形状、寸法、材質、配置などや水抜き孔２１３、縦リブ２２１、および横リブ２２３の設置形態などは、例示したものに限定されるわけではなく適宜変更することができる。
【符号の説明】
【００４３】
１００  排水トラップ
１２０  封水筒
１２１  傾斜排水面
２００  ヘアキャッチャー
２１０  ボウル部（網目部）
２３０  係合部
２４０  取っ手
２４０ａ  取っ手
２４４  先端部
２４５  上面
５００  洗い場
５１０  排水口
【図１】
0005979585.tif 000002
【図２】
0005979585.tif 000003
【図３】
0005979585.tif 000004
【図４】
0005979585.tif 000005
【図５】
0005979585.tif 000006
【図６】
0005979585.tif 000007
【図７】
0005979585.tif 000008
【図８】
0005979585.tif 000009